(57)【要約】【課題】  コピーモード、ファクシミリモードおよびスキャナモードでの運用が可能な場合であっても操作が容易で誤操作の可能性も低減できる技術の提供。【解決手段】  モード切替制御手段が、ステップＳ２においてテンキーに最初に入力された数字が「０」であり且つステップＳ３において全入力桁数が記憶部の識別番号の桁数を超えた場合にステップＳ４のファクシミリモードに移行し、ステップＳ２においてテンキーに最初に入力された数字が「０」であり且つステップＳ３において全入力桁数が記憶部の識別番号の桁数で停止した場合にスキャナモードに移行して、ステップＳ２においてテンキーに最初に入力された数字が「０」以外の数字である場合にコピーモードに移行する。【選択図】      図１
2006261810.tif 000002
【特許請求の範囲】
【請求項１】
テンキーを含む操作部と、
画像を読み取る画像読取手段と、
前記画像読取手段で読み取った画像データを、前記テンキーで入力された部数分用紙に複写するコピー手段と、
前記画像読取手段で読み取った画像データを、前記テンキーで入力された電話番号に従って通信回線を介して送信するファクシミリ手段と、
前記画像読取手段で読み取った画像データを、複数の記憶部のうちの前記テンキーで指定された複数桁の識別番号に対応する記憶部に記憶させるスキャナ手段と、
前記画像読取手段および前記コピー手段による運用を行うコピーモードと、前記画像読取手段および前記ファクシミリ手段による運用を行うファクシミリモードと、前記画像読取手段および前記スキャナ手段による運用を行うスキャナモードとにモードを切り替えるモード切替制御手段とを有し、
前記記憶部に記憶された画像データがＬＡＮ回線を介して前記記憶部からパソコン端末で読込可能とされ、前記識別番号として、全桁が「０」である番号から、最大桁が「０」で残りの桁がすべて「９」である番号までが設定可能とされた画像形成装置であって、
前記モード切替制御手段は、前記テンキーに最初に入力された数字が「０」であり且つ全入力桁数が前記識別番号の桁数を超えた場合に前記ファクシミリモードに移行し、前記テンキーに最初に入力された数字が「０」であり且つ全入力桁数が前記識別番号の桁数を超えない場合に前記スキャナモードに移行して、前記テンキーに最初に入力された数字が「０」以外の数字である場合に前記コピーモードに移行することを特徴とする画像形成装置。
【請求項２】
前記部数が所定の最大桁数まで設定可能とされており、
前記モード切替制御手段は、前記テンキーに最初に入力された数字が「０」以外の数字である場合に、全入力桁数が前記部数の最大桁数を超えると前記ファクシミリモードに移行する一方、全入力桁数が前記部数の最大桁数を超えないと前記コピーモードに移行することを特徴とする請求項１記載の画像形成装置。
【請求項３】
テンキーを含む操作部と、
画像を読み取る画像読取手段と、
前記画像読取手段で読み取った画像データを、前記テンキーで入力された部数分用紙に複写するコピー手段と、
前記画像読取手段で読み取った画像データを、前記テンキーで入力された電話番号に従って通信回線を介して送信するファクシミリ手段と、
前記画像読取手段で読み取った画像データを、複数の記憶部のうちの前記テンキーで指定された複数桁の識別番号に対応する記憶部に記憶させるスキャナ手段と、
前記画像読取手段および前記コピー手段による運用を行うコピーモードと、前記画像読取手段および前記ファクシミリ手段による運用を行うファクシミリモードと、前記画像読取手段および前記スキャナ手段による運用を行うスキャナモードとにモードを切り替えるモード切替制御手段とを有し、
前記記憶部に記憶された画像データがＬＡＮ回線を介して前記記憶部からパソコン端末で読込可能とされ、前記識別番号として、全桁が「０」である番号から、最大桁が「０」で残りの桁がすべて「９」である番号までが設定可能とされた画像形成装置の制御方法であって、
前記テンキーに最初に入力された数字が「０」であるか否かを判定する第１の判定ステップと、
該第１の判定ステップにおいて前記テンキーに最初に入力された数字が「０」である場合に全入力桁数が前記識別番号の桁数を超えたか否かを判定する第２の判定ステップと、
該第２の判定ステップにおいて、全入力桁数が前記識別番号の桁数を超えた場合に前記ファクシミリモードに移行するファクシミリモード移行ステップと、
前記第２の判定ステップにおいて、全入力桁数が前記識別番号の桁数を超えない場合に前記スキャナモードに移行するスキャナモード移行ステップと、
前記第１の判定ステップにおいて前記テンキーに最初に入力された数字が「０」以外の数字である場合に前記コピーモードに移行するコピーモード移行ステップとを有することを特徴とする画像形成装置の制御方法。
【請求項４】
前記部数が所定の最大桁数まで設定可能とされており、
前記第１の判定ステップにおいて前記テンキーに最初に入力された数字が「０」以外の数字である場合に、全入力桁数が前記部数の最大桁数を超えたか否かを判定する第３の判定ステップと、
該第３の判定ステップにおいて全入力桁数が前記部数の最大桁数を超えた場合に前記ファクシミリモードに移行する第２のファクシミリモード移行ステップとを有し、
前記第３の判定ステップにおいて全入力桁数が前記部数の最大桁数を超えないと前記コピーモード移行ステップを実行することを特徴とする請求項３記載の画像形成装置の制御方法。
【発明の詳細な説明】
【技術分野】
【０００１】
本発明は、画像読取手段で読み取った画像データを用紙に複写するコピーモードと、通信回線を介して送信するファクシミリモードと、パソコン端末で読込可能な記憶部に記憶させるスキャナモードとでの運用が可能な複合型の画像形成装置およびその制御方法に関する。
【背景技術】
【０００２】
複合型の画像形成装置では、例えば、コピーモードでの運用中にファクシミリモードの初期画面に切り替えるのにファクシミリモードへの切替キーを操作したり、逆に、ファクシミリモードでの運用中にコピーモードの初期画面に切り替えるのにコピーモードへの切替キーを操作したりする必要がある。このため、この操作は、特に急いでいる使用者にとっては面倒であるばかりか、この操作を忘れることで誤操作の原因にもなる。このような観点から、例えば、コピーモードでの運用中にファクシミリモードへの切替キーが操作されなくても、ファクシミリモードが選択された場合に行われるテンキーでの電話番号入力が行われると自動的にファクシミリモードの初期画面に切り替える技術がある（例えば特許文献１参照）。この技術では、例えば最初にテンキーの「０」が入力されるとファクシミリモードの初期画面に自動的に切り替えるようになっている。
【特許文献１】特開２００２−５７８２８号公報
【発明の開示】
【発明が解決しようとする課題】
【０００３】
ところで、上記の画像形成装置は、画像読取手段で読み取った画像データを用紙に複写するコピーモードと、画像読取手段で読み取った画像データを通信回線を介して送信するファクシミリモードの両方のモードでの運用が可能な複合機であるが、これらのモードに加えて、画像読取手段で読み取った画像データを、ＬＡＮ回線で接続されたパソコン端末で読込可能な記憶部に記憶させるスキャナモードでの運用が可能な画像形成装置がある。このような画像形成装置においては、スキャナモードという上記した画像形成装置にはない新たな運用モードがあるため、使用者にとって、さらに操作が面倒となり、誤操作の可能性も増大してしまう。
【０００４】
本発明は上述の課題に鑑みてなされたものであり、その目的は、コピーモード、ファクシミリモードおよびスキャナモードでの運用が可能な場合であっても操作が容易で誤操作の可能性も低減できる技術の提供を目的とする。
【課題を解決するための手段】
【０００５】
上述の目的を達成するために、本発明の画像形成装置は、テンキーを含む操作部と、画像を読み取る画像読取手段と、前記画像読取手段で読み取った画像データを、前記テンキーで入力された部数分用紙に複写するコピー手段と、前記画像読取手段で読み取った画像データを、前記テンキーで入力された電話番号に従って通信回線を介して送信するファクシミリ手段と、前記画像読取手段で読み取った画像データを、複数の記憶部のうちの前記テンキーで指定された複数桁の識別番号に対応する記憶部に記憶させるスキャナ手段と、前記画像読取手段および前記コピー手段による運用を行うコピーモードと、前記画像読取手段および前記ファクシミリ手段による運用を行うファクシミリモードと、前記画像読取手段および前記スキャナ手段による運用を行うスキャナモードとにモードを切り替えるモード切替制御手段とを有し、前記記憶部に記憶された画像データがＬＡＮ回線を介して前記記憶部からパソコン端末で読込可能とされ、前記識別番号として、全桁が「０」である番号から、最大桁が「０」で残りの桁がすべて「９」である番号までが設定可能とされた画像形成装置であって、前記モード切替制御手段は、前記テンキーに最初に入力された数字が「０」であり且つ全入力桁数が前記識別番号の桁数を超えた場合に前記ファクシミリモードに移行し、前記テンキーに最初に入力された数字が「０」であり且つ全入力桁数が前記識別番号の桁数を超えない場合に前記スキャナモードに移行して、前記テンキーに最初に入力された数字が「０」以外の数字である場合に前記コピーモードに移行することを特徴とする。
【０００６】
本発明の画像形成装置を、前記部数が所定の最大桁数まで設定可能とし、前記モード切替制御手段が、前記テンキーに最初に入力された数字が「０」以外の数字である場合に、全入力桁数が前記部数の最大桁数を超えると前記ファクシミリモードに移行する一方、全入力桁数が前記部数の最大桁数を超えないと前記コピーモードに移行するようにしても良い。
【０００７】
本発明の画像形成装置の制御方法は、テンキーを含む操作部と、画像を読み取る画像読取手段と、前記画像読取手段で読み取った画像データを、前記テンキーで入力された部数分用紙に複写するコピー手段と、前記画像読取手段で読み取った画像データを、前記テンキーで入力された電話番号に従って通信回線を介して送信するファクシミリ手段と、前記画像読取手段で読み取った画像データを、複数の記憶部のうちの前記テンキーで指定された複数桁の識別番号に対応する記憶部に記憶させるスキャナ手段と、前記画像読取手段および前記コピー手段による運用を行うコピーモードと、前記画像読取手段および前記ファクシミリ手段による運用を行うファクシミリモードと、前記画像読取手段および前記スキャナ手段による運用を行うスキャナモードとにモードを切り替えるモード切替制御手段とを有し、前記記憶部に記憶された画像データがＬＡＮ回線を介して前記記憶部からパソコン端末で読込可能とされ、前記識別番号として、全桁が「０」である番号から、最大桁が「０」で残りの桁がすべて「９」である番号までが設定可能とされた画像形成装置の制御方法であって、前記テンキーに最初に入力された数字が「０」であるか否かを判定する第１の判定ステップと、該第１の判定ステップにおいて前記テンキーに最初に入力された数字が「０」である場合に全入力桁数が前記識別番号の桁数を超えたか否かを判定する第２の判定ステップと、該第２の判定ステップにおいて、全入力桁数が前記識別番号の桁数を超えた場合に前記ファクシミリモードに移行するファクシミリモード移行ステップと、前記第２の判定ステップにおいて、全入力桁数が前記識別番号の桁数を超えない場合に前記スキャナモードに移行するスキャナモード移行ステップと、前記第１の判定ステップにおいて前記テンキーに最初に入力された数字が「０」以外の数字である場合に前記コピーモードに移行するコピーモード移行ステップとを有することを特徴とする。
【０００８】
また、本発明の画像形成装置の制御方法を、前記部数が所定の最大桁数まで設定可能とし、前記第１の判定ステップにおいて前記テンキーに最初に入力された数字が「０」以外の数字である場合に、全入力桁数が前記部数の最大桁数を超えたか否かを判定する第３の判定ステップと、該第３の判定ステップにおいて全入力桁数が前記部数の最大桁数を超えた場合に前記ファクシミリモードに移行する第２のファクシミリモード移行ステップとを有し、該第３の判定ステップにおいて全入力桁数が前記部数の最大桁数を超えないと前記コピーモード移行ステップを実行するようにしても良い。
【発明の効果】
【０００９】
コピーモードの場合、コピー部数を設定するため「０」以外で始まる数値がテンキーで入力されることになり、ファクシミリモードの場合、送信先を設定するための「０」から始まる例えば１０桁のファクシミリ番号としての電話番号がテンキーで入力されることになり、スキャナモードの場合、記憶先である記憶部を設定するための「０」から始まる全桁が「０」である番号から最大桁が「０」で残りの桁がすべて「９」である番号までのうちの一つの識別番号が入力されることになる。本発明によれば、これらに着目して、テンキーに最初に入力された数字が「０」であり且つ全入力桁数が識別番号の桁数を超えた場合にファクシミリモードに移行し、テンキーに最初に入力された数字が「０」であり且つ全入力桁数が前記識別番号の桁数を超えない場合にスキャナモードに移行して、テンキーに最初に入力された数字が「０」以外の数字である場合にコピーモードに移行する。これにより、モード切替キーの操作がなくても適宜のモードに切り替えることができるため、操作が容易で誤操作も低減できる。
【００１０】
また、コピーモードの場合、コピー部数を設定するため「０」以外で始まる数値がテンキーで入力されることになり、また、ファクシミリモードの場合、送信先を設定するための市外局番を含む「０」から始まる例えば１０桁のファクシミリ番号としての電話番号、および市外局番を含まない「０」以外から始まる例えば７桁のファクシミリ番号としての電話番号がテンキーで入力されることになり、スキャナモードの場合、記憶先である記憶部を設定するための「０」から始まる全桁が「０」である番号から最大桁が「０」で残りの桁がすべて「９」である番号までのうちの一つの識別番号が入力されることになる。本発明によれば、これらに着目して、テンキーに最初に入力された数字が「０」であり且つ全入力桁数が識別番号の桁数を超えた場合にファクシミリモードに移行し、テンキーに最初に入力された数字が「０」であり且つ全入力桁数が前記識別番号の桁数を超えない場合にスキャナモードに移行して、テンキーに最初に入力された数字が「０」以外の数字であり且つ全入力桁数が部数の最大桁数を超えた場合にファクシミリモードに移行し、テンキーに最初に入力された数字が「０」以外の数字であり且つ全入力桁数が部数の最大桁数を超えないとコピーモードに移行する。これにより、モード切替キーの操作がなくても適宜のモードに切り替えることができるため、操作が容易で誤操作も低減できる。
【発明を実施するための最良の形態】
【００１１】
図１は、本発明の一実施形態に係る画像形成装置１１を示すもので、この画像形成装置１１の上部には画像読取部（画像読取手段）１２が設けられ、この画像読取部１２の側方に被読取対象物である原稿が装填させられる原稿台１３が配置される。この原稿台１３に原稿が装填された状態で、機体前面側の操作表示部（操作部）１５のスタートキー（図１では図示略）が押下されると、原稿台１３と連動して画像読取部１２が原稿を一枚ずつ読み取ることになり、読み取られた原稿は原稿台１３の下方の原稿受け１６に排出される。また、画像読取部１２は、図示略の複数のヒンジを介して開閉可能となっており、開状態で露出する図示略の手動載置台に載置された原稿も閉状態でスタートキーが押下されると読み取ることになる。
【００１２】
原稿受け１６の下側であって機体前面側に、上記した操作表示部１５が設けられており、この操作表示部１５の下方にはフロントトレイ１８が配置され、このフロントトレイ１８には、上記した画像読取部１２で読み取られた画像データに基づくトナー像が形成された用紙がトナー像形成面を下側にして排出される。また、操作表示部１５の側方下部であって機体側面から張り出した位置にサイドトレイ１９が配置され、このサイドトレイ１９には、画像データに基づくトナー像が形成された用紙がトナー像形成面を上側にして排出される。
【００１３】
フロントトレイ１８の下方の機体前面側には、前面扉２１が配置されるとともに、前面扉２１の側方には側面扉２２が配置される。これら前面扉２１および側面扉２２を開放することにより、図示略の用紙装填部および用紙搬送部が露出することになり、これにより用紙の装填およびジャム用紙の排除等のメンテナンスが可能になる。
【００１４】
図２は、本実施形態に係る画像形成装置１１のブロック図である。図２に示されているように、この画像形成装置１１は、使用者による操作入力が行われるとともに使用者に対して案内を表示させる上記した操作表示部１５と、原稿の画像を読み取り画像データを生成する上記した画像読取部１２と、画像読取部１２で生成された画像データに基づいて用紙に被読取対象物を複写するようにトナー像を形成するとともに用紙を排出するコピー機能部（コピー手段）２４と、画像読取部１２で生成された画像データを通信回線２５を介して送信するファクシミリ機能部（ファクシミリ手段）２６と、画像読取部１２で生成された画像データを別途接続されたパソコン端末２８で読み出し可能な記憶部２９に記憶するスキャナ機能部（スキャナ手段）３０と、これらを制御する制御部（モード切替制御手段）３２とを有している。
【００１５】
操作表示部１５は、０〜９までの数値等を一つずつ入力可能なテンキー３４や、操作ガイド等の表示を行うとともに操作入力が可能とされたタッチパネル画面３５を有している。
【００１６】
画像読取部１２は、被読取対象物である原稿に対して光を照射しその反射光を検出することで、被読取対象物の画像データを生成する、いわゆるスキャナである。
【００１７】
コピー機能部２４は、画像読取部１２で生成された原稿の画像データと、操作表示部１５のテンキー３４で入力された部数、操作表示部１５のタッチパネル画面３５で選択された倍率、濃淡および用紙種類等とに基づいて、選択された種類および部数分の用紙に選択された倍率および濃淡等で原稿を複写するようにトナー像を形成するものであり、図示は略すがトナー転写部およびトナー定着部等を有している。
【００１８】
ファクシミリ機能部２６は、画像読取部１２で生成された画像データを適宜の送信データに変換し、操作表示部１５のテンキー３４で入力された電話番号に従って通信回線２５を介して送信するものである。なお、この場合、ファクシミリ番号として入力される電話番号は市外局番から入力するものとするか、あるいは「０」を無条件で付けるゼロ発信するものとする。
【００１９】
スキャナ機能部３０は、上記したように、画像読取部１２で生成された画像データを記憶するもので、記憶部２９は、複数例えば１００個設けられている。これらの記憶部２９は、それぞれ他の記憶部２９とを識別するための識別番号を有しており、特定の使用者のみがアクセス可能ないわゆる親展ボックスとなっている。なお、各記憶部２９の識別番号としては、全桁が「０」となる「０００」から、最大桁が「０」で残りの桁がすべて「９」である「０９９」までの番号が一対一で割り当てられている。なお、この識別番号としては３桁以外の例えば「００００」から「０９９９」までの４桁等が可能であるが、電話番号の最小の桁数よりも少ない桁数に設定される。
【００２０】
以上により、本実施形態に係る画像形成装置１１は、画像読取部１２およびコピー機能部２４による運用、つまり画像読取部１２で読み取った画像データをコピー機能部２４で用紙に複写するコピーモード、画像読取部１２およびファクシミリ機能部２６による運用、つまり画像読取部１２で読み取った画像データを入力された電話番号に従ってファクシミリ機能部２６で通信回線２５を介して送信するファクシミリモード、画像読取部１２およびスキャナ機能部３０による運用、つまり画像読取部１２で読み取った画像データをスキャナ機能部３０で複数の記憶部２９のうちの対応する一つに記憶させるスキャナモードとにモードが切り替えられて使用される。
【００２１】
操作表示部１５は、画像形成装置１１の前面側の上部に設けられており、図３に示すように、「０」，「１」，「２」，「３」，「４」，「５」，「６」，「７」，「８」，「９」からなる上記したテンキー３４と、操作ガイド等の表示を行うＬＣＤ画面の表面に各区分された領域への押圧操作を検出可能なタッチパネルシートが貼付された上記したタッチパネル画面３５とを有している。また、操作表示部１５には、ジョブを開始させるスタートボタン３７、タッチパネル画面３５を基本画面に切り替えるオールクリアボタン３８、ジョブを中止させるストップボタン３９が設けられている。
【００２２】
また、操作表示部１５は、例えば使用者毎に個別に設けられ、使用者毎に設定されたＩＤデータを記憶したＩＤカードが挿入されると、このＩＤカードのＩＤデータを読み取る図２に示すカードリーダ４１を有している。
【００２３】
そして、例えば、制御部３２は、原稿台１３または手動載置台に原稿が載置されたことを検出すると、操作表示部１５のタッチパネル画面３５に図４に示す基本画面を表示させる。つまり、制御部３２は、タッチパネル画面３５に、コピーモードを選択する際に押圧操作される「コピー」と表示されたコピー選択キー部４３と、ファクシミリモードを選択する際に押圧操作される「ファクス」と表示されたファクシミリ選択キー部４４と、スキャナモードを選択する際に押圧操作される「スキャナ」と表示されたスキャナ選択キー部４５とを同時に表示させる。
【００２４】
この基本画面の表示に基づいてコピー選択キー部４３が押圧操作されると、制御部３２は、コピーモードでの運用に切り替え、タッチパネル画面３５に、用紙選択、倍率および部数等の設定変更を適宜入力させるための図５に示すコピーモードの初期画面を表示させることになる。そして、必要により基本設定を変更するために、このコピーモードの初期画面に適宜の入力がなされ、また必要により基本設定であるコピーする用紙の部数の１枚を変更するために、テンキー３４に適宜の入力がなされ、スタートボタン３７が押下されると、制御部３２は、画像読取部１２で原稿を読み取って画像データを生成し、原稿を再現すべくこの画像データに基づくトナー像を用紙に形成する。つまりコピーを行う。なお、１回のジョブでコピー可能な部数が所定の最大桁数例えば３桁の９９９部まで設定可能となっており、それを超える部数はコピー不可となっている。
【００２５】
他方、上記に基づいて、ファクシミリ選択キー部４４が押圧操作されると、制御部３２は、ファクシミリモードでの運用に切り替え、タッチパネル画面３５に、適宜設定変更を入力させる図６に示すファクシミリモードの初期画面を表示させることになる。そして、必要により基本設定を変更するために、このファクシミリモードの初期画面に適宜の入力がなされ、また送信先の例えば１０桁の電話番号がテンキー３４で入力され、スタートボタン３７が押下されると、制御部３２は、画像読取部１２で原稿を読み取って画像データを生成し、原稿を送信先で再現可能な送信データに変更して通信回線２５を介して送信する。つまりファクシミリを送信する。
【００２６】
さらに、上記に基づいて、スキャナ選択キー部４５が押圧操作されると、制御部３２は、スキャナモードでの運用に切り替え、タッチパネル画面３５に、適宜設定変更を入力させる図７に示すスキャナモードの基本画面を表示させることになる。そして、必要により基本設定を変更するために、このスキャナモードの初期画面に適宜の入力がなされ、また記憶先の上記した「０００」〜「０９９」の１００個の識別番号のうちのいずれか非使用の記憶部２９の識別番号がテンキー３４で入力され、スタートボタン３７が押下されると、制御部３２は、画像読取部１２で原稿を読み取って画像データを生成し、画像データを上記のようにして設定された識別番号の記憶部２９に、例えばカードリーダ４１で読み込んだ使用者ＩＤデータと関連付けて記憶させる。
【００２７】
一方、本実施形態において、制御部３２は、上記した基本画面を表示させた状態で、コピー選択キー部４３、ファクシミリ選択キー部４４およびスキャナ選択キー部４５のいずれが押圧操作されなくても、テンキー３４の操作に基づいて運用モードを選択するようになっている。
【００２８】
すなわち、制御部３２は、上記した制御とは別に、例えば以前に設定されたジョブが完了していること等を条件として、図８に示すように、まず、テンキー３４に最初の入力があったか否かを判定し（ステップＳ１）、テンキー３４に最初の入力があるまでステップＳ１で待機する。そして、制御部３２は、ステップＳ１でテンキー３４に最初の入力があったと判定すると、そのテンキー３４に最初に入力された数字が「０」であるか否かを判定する（ステップＳ２（第１の判定ステップ））。つまり、ファクシミリモードでの運用を想定している場合、操作者は、送信先の電話番号の市外局番またはゼロ発信の最初の「０」を入力することになり、また、スキャナモードでの運用を想定している場合、操作者は、スキャナモードにおける記憶先の識別番号「０００」〜「０９９」の最初の「０」を入力することになり、いずれにおいても「０」以外の数字が入力されることはなく、これに対し、コピーモードでの運用を想定している場合、操作者は、コピー部数を設定するため「０」以外で始まる数値をテンキー３４で入力することになるためである。
【００２９】
このステップＳ２において、テンキー３４に最初に入力された数字が「０」である場合には、テンキー３４による全入力桁数が記憶部２９の識別番号の桁数つまり３桁を超えたか否かを判定する（ステップＳ３（第２の判定ステップ））。
【００３０】
このステップＳ３において、全入力桁数が識別番号の桁数つまり３桁を超えた場合、ファクシミリモードでの運用に移行する（ステップＳ４（ファクシミリモード移行ステップ））。つまり、これは、上記したように、ファクシミリモードでの運用を想定している場合、操作者は、送信先の電話番号として、上記した識別番号の桁数つまり３桁を超える例えば１０桁の数字を入力することに因る。そして、このようにテンキー３４に入力された数字を送信先の電話番号とし、その後の操作を継続可能とする。
【００３１】
一方、ステップＳ３において、全入力桁数が識別番号の桁数つまり３桁で停止する等３桁を超えない場合、スキャナモードでの運用に移行する（ステップＳ５（スキャナモード移行ステップ））。つまり、これはスキャナモードでの運用を想定している場合、操作者は、記憶先の記憶部２９の識別番号として、上記した電話番号の桁数よりも少ない３桁の数字を入力することに因る。ここで、３桁での停止の判断は、３桁入力後に、スタートボタンが押下された場合と、３桁入力後に所定の待機時間が経過したこと等を条件に行う。そして、このようにテンキー３４に入力された数字を記憶先の記憶部２９の識別番号とし、その後の操作を継続可能とする。
【００３２】
他方、制御部３２は、上記ステップＳ２においてテンキー３４に最初に入力された数字が「０」以外の数字である場合には、コピーモードでの運用に移行する（ステップＳ６（コピーモード移行ステップ））。つまり、これは、コピーモードでの運用を想定している場合、操作者は、コピー部数を設定するため「０」以外で始まる数値をテンキー３４で入力することになり、テンキー３４にファクシミリモードにおける送信先の電話番号の市外局番またはゼロ発信の最初の「０」が入力されることはなく、また、スキャナモードにおける記憶先の識別番号「０００」〜「０９９」の最初の「０」が入力されることもないためである。そして、このようにテンキー３４に入力された数字をコピー部数とし、その後の操作を継続可能とする。
【００３３】
なお、スキャナモードで所定の識別番号の記憶部２９に記憶された画像データは、画像形成装置１１にＬＡＮ回線２７で接続されたパソコン端末２８において読み出し可能となる。ただし、上記したように記憶部２９に画像データと関連付けして使用者のＩＤデータを記憶しているため、例えば、パソコン端末２８に使用者のＩＤデータを記憶しておき、これらＩＤデータの対応が取れたときのみ関連付けされた画像データを読み出し可能とする。
【００３４】
また、コピーモード、ファクシミリモードおよびスキャナモードのいずれかの運用モードでの運用中でも、上記と同様にして、テンキー３４の操作に基づいて次の運用モードを選択可能になっている。つまり、コピーモードでの運用中であって図５に示すコピーモードの初期画面を表示させた状態、ファクシミリモードでの運用中であって図６に示すファクシミリモードの初期画面を表示させた状態、およびスキャンモードでの運用中であって図７に示すファクシミリモードの初期画面を表示させた状態のいずれにあっても、テンキー３４の操作に応じて上記と同様に運用モードを切り替えることになる。
【００３５】
以上のような本実施形態に係る画像形成装置１１によれば、コピーモードの場合、コピー部数を設定するため「０」以外で始まる数値がテンキー３４で入力されることになり、ファクシミリモードの場合、送信先を設定するための市外局番またはゼロ発信の「０」から始まる例えば１０桁の電話番号がテンキー３４で入力されることになり、スキャナモードの場合、記憶先である記憶部２９を設定するための「０」から始まる全桁が「０」である番号から最大桁が「０」で残りの桁がすべて「９」である番号までのうちの一つの識別番号が入力されることになる。これらに着目して、テンキー３４に最初に入力された数字が「０」であり且つ全入力桁数が識別番号の桁数を超えた場合、ファクシミリモードに移行し、テンキー３４に最初に入力された数字が「０」であり且つ全入力桁数が識別番号の桁数を超えない場合、スキャナモードに移行して、テンキー３４に最初に入力された数字が「０」以外の数字である場合には、コピーモードに移行する。これにより、コピー選択キー部４３、ファクシミリ選択キー部４４およびスキャナ選択キー部４５の操作がなくても、その後入力が必要な、コピー部数、電話番号（市外局番付きまたはゼロ発信を条件とする）、記憶部２９の識別番号の入力のためのテンキー３４の操作だけでコピーモード、ファクシミリモード、スキャンモードの適宜のモードに切り替えることができるため、操作が容易で誤操作も低減できる。
【００３６】
また、例えば、タッチパネル画面３５への操作に適さない目の不自由な使用者であっても、テンキー３４の入力だけで、コピーモード、ファクシミリモード、スキャンモードを切り替え可能になり、アクセシビリティを確保した操作を提供できる。
【００３７】
なお、以上においては、ファクシミリ番号としての電話番号を、常に「０」を無条件で最初につける市外局番から入力する、あるいは「０」を無条件で最初につけるゼロ発信とする場合を例にとり説明したが、これら以外の場合でも図９に示すステップＳ１０，Ｓ１１を追加する変更を行えば対応可能である。
【００３８】
つまり、上記ステップＳ２においてテンキー３４に最初に入力された数字が「０」以外の数字である場合に、ステップＳ６のコピーモードでの運用に移行する前に、テンキー３４による全入力桁数がコピー可能な部数の最大桁数つまり３桁を超えたか否かを判定する（ステップＳ１０（第３の判定ステップ））。ここで、コピー可能な部数の最大桁数は市外局番を含まない電話番号の最小桁数よりも少ない桁数に設定される。
【００３９】
そして、ステップＳ１０において全入力桁数が部数の最大桁数つまり３桁の範囲を超えた場合にファクシミリモードに移行する（ステップＳ１１（第２のファクシミリモード移行ステップ））。一方、ステップＳ１０において全入力桁数が部数の最大桁数の範囲内で停止した場合にコピーモードに移行する（ステップＳ６）。つまり、これは、ファクシミリモードでの運用を想定している場合に、操作者は、市外局番がなくしかもゼロ発信ではない「０」以外で始まる数値をテンキー３４で入力することもあるが、コピーモードでの運用を想定している場合には、コピー可能な部数の最大桁数の範囲内の桁数の部数を入力することになり、ファクシミリモードでの運用を想定している場合には、コピー可能な部数の最大桁数を超える桁数の部数を入力することに因る。
【００４０】
このようにしても、コピー選択キー部４３、ファクシミリ選択キー部４４およびスキャナ選択キー部４５の操作がなくても、その後入力が行われる、コピー部数、電話番号（市外局番の有無やゼロ発信であるか否かを問わない）、記憶部２９の識別番号のテンキー３４の操作だけでコピーモード、ファクシミリモード、スキャンモードの適宜のモードに切り替えることができるため、操作が容易で誤操作も低減できる。
【図面の簡単な説明】
【００４１】
【図１】本発明の一実施形態に係る画像形成装置の外観構成を示す斜視図である。
【図２】本発明の一実施形態に係る画像形成装置における要部を示すブロック図である。
【図３】本発明の一実施形態に係る画像形成装置における操作表示部を示す平面図である。
【図４】本発明の一実施形態に係る画像形成装置におけるタッチパネル画面の基本画面を示す平面図である。
【図５】本発明の一実施形態に係る画像形成装置におけるタッチパネル画面のコピーモードの初期画面を示す平面図である。
【図６】本発明の一実施形態に係る画像形成装置におけるタッチパネル画面のファクシミリモードの初期画面を示す平面図である。
【図７】本発明の一実施形態に係る画像形成装置におけるタッチパネル画面のスキャナモードの初期画面を示す平面図である。
【図８】本発明の一実施形態に係る画像形成装置におけるテンキー使用時のモード切替制御の制御内容を示すフローチャートである。
【図９】本発明の一実施形態に係る画像形成装置におけるテンキー使用時のモード切替制御の制御内容の変更例を示すフローチャートである。
【符号の説明】
【００４２】
１１…画像形成装置、１２…画像読取部（画像読取手段）、１５…表示操作部（操作部）、２４…コピー機能部（コピー手段）、２５…通信回線、２６…ファクシミリ機能部（ファクシミリ手段）、２７…ＬＡＮ回線、２８…パソコン端末、２９…記憶部、３０…スキャナ機能部（スキャナ手段）、３２…制御部（モード切替制御手段）、３４…テンキー、３５…タッチパネル画面。
【図１】
2006261810.tif 000003
【図２】
2006261810.tif 000004
【図３】
2006261810.tif 000005
【図４】
2006261810.tif 000006
【図５】
2006261810.tif 000007
【図６】
2006261810.tif 000008
【図７】
2006261810.tif 000009
【図８】
2006261810.tif 000010
【図９】
2006261810.tif 000011